(57)【要約】【課題】止水栓の接続部内径部にパッキンを装着、固定することで、作業中に不断水による水流の吹き出しがあってもパッキンが外れることがないような脱落防止機能付きパッキンを構成し止水栓の交換作業を熟練の作業者に頼ることなく時間を短縮して行う。【解決手段】止水栓の交換時に継手部材と止水栓の接続部材間に配置するパッキン部材は、パッキン部材と一体的に構成された嵌合部を形成し、嵌合部はパッキン部材のパッキン接合部面片側に突出した中空形状の嵌合部を構成し、パッキン部材の中空形状の嵌合部を止水栓接合部の内径部に固着可能に構成した。【選択図】図１
2015161376.tif 000002
【特許請求の範囲】
【請求項１】
配水管から分岐給水される給水管を量水器ボックス内の水道メータ１次側に設置した止水栓に接続するための継手部材と止水栓間において、
該止水栓の交換時に前記継手部材と止水栓の接続部材間に配置されるパッキン部材は継手部材の先端部に設けられた継手用ナットと止水栓接続部の接合部端面に装着挟持され前記継手部材と止水栓間の水密を維持できるリング形状のパッキン部材であり、
該パッキン部材には該パッキン部材と一体的に形成された嵌合部を形成し、
該嵌合部は前記パッキン部材のパッキン接合部面片側に突出した中空形状の嵌合筒部を構成し、
該パッキン部材の中空形状の嵌合筒部を前記止水栓接続部の接合部端面の内径部に固着可能に構成したことを特徴とする止水栓の接続部に用いられる脱落防止機能付きパッキン。
【請求項２】
前記リング形状のパッキン部材はその断面形状が内径側に開口するコの字形状を有した嵌合部材取付溝を有し、
該嵌合部材取付溝にその断面形状がＬ字形を有する中空形状の嵌合筒部の鍔部を嵌着することにより前記パッキン部材と中空形状の嵌合筒部を一体的に構成したことを特徴とする請求項１に記載された止水栓の接続部に用いられる脱落防止機能付きパッキン。
【請求項３】
前記パッキン部材と中空形状の嵌合筒部を一体的に構成し、
該嵌合筒部に１箇所または複数個の割り溝を設けることにより該中空形状の嵌合筒部の先端部に弾性を付加するように構成したことを特徴とする請求項１または請求項２の何れかに記載の止水栓の接続部に用いられる脱落防止機能付きパッキン。
【請求項４】
前記嵌合筒部にはその先端円周部に２箇所または複数個の返し突起部を設けることにより、
該２箇所または複数個の返し突起部が前記止水栓接続部の接合部端面の内径部に固着可能に構成したことを特徴とする請求項１乃至請求項３のいずれかに記載の止水栓の接続部に用いられる脱落防止機能付きパッキン。
【請求項５】
前記嵌合筒部の外径を先端部から付根部近傍に向かって大きくなるテーパー形状に構成したことを特徴とする請求項１乃至請求項３のいずれかに記載の止水栓の接続部に用いられる脱落防止機能付きパッキン
【請求項６】
前記嵌合筒部の外径を先端部から付根部近傍に向かって大きくなるテーパー形状に構成し、
該テーパー形状の嵌合筒部の付根部外周上に逃げ溝を刻設することにより、
該嵌合筒部の先端部に弾性を付加するように構成して前記止水栓接続部の接合部端面の内径部にテーパー形状の嵌合筒部を固着可能に構成したことを特徴とする請求項１または請求項２のいずれかに記載の止水栓の接続部に用いられる脱落防止機能付きパッキン。
【請求項７】
前記パッキン部材と嵌合筒部は合成ゴムや合成樹脂により一体的に成型されるか、または前記パッキン部材は合成ゴム及び合成樹脂により成型され、
該パッキン部材の嵌合部材取付溝に装着される嵌合筒部は金属材料等前記パッキン部材とは異なる材料にて別々に形成されていることを特徴とする請求項１乃至請求項６のいずれかに記載の止水栓の接続部に用いられる脱落防止機能付きパッキン。
【発明の詳細な説明】
【技術分野】
【０００１】
本発明は、配水管から分岐給水される給水管を水道メータ１次側に設置した止水栓に接続するため継手部材と止水栓の接続部材間に配置されるパッキンに関するものであり、特に本発明は、止水栓の接続部の接合端面に設けられる脱落防止機能付きのパッキンに関するものである。
【背景技術】
【０００２】
浄水場より配水管を介して一般的な戸建て住宅に給水するシステムは、浄水場より配水管を埋設して各住宅地の戸建て住宅近辺まで配管されており、夫々の宅地内には前記配水管よりサドル付分水栓を介して給水管を接続して水道水を給水している。
【０００３】
そして、給水管を通して個々の住宅に給水される水道水は、各住宅の宅地内に夫々埋設された量水器ボックス内に導入され、その量水器ボックス内に設置された止水栓及び水道メータを介して、個々の建物内のキッチン、浴室、洗面室、トイレ等に給水されるように接続されている。
【０００４】
本発明に係る止水栓の接続部に用いられる脱落防止機能付きパッキンは、配水管から分岐給水される給水管を量水器ボックス内の止水栓に接続するために設けられるもので、給水管と止水栓を接続する継手部材の先端部において、該継手部材と止水栓の接続部間に配置されるパッキンに関するものであり、特に本発明のパッキン構造は、止水栓の接続部の接合端面の内径部に設けられる嵌合可能な脱落防止機能付きのパッキンに関するものである。
【０００５】
斯くして、本発明に係る一般的な戸建て住宅に給水するシステム及び本発明の実施位置、並びに従来型パッキン構造の欠点を図１４及び図１５（Ａ）、（Ｂ）、（Ｃ）において説明する。
【０００６】
図１４において、５０は浄水場より埋設され各宅地の建物近辺まで配管されている配水管を示し、該配水管５０には夫々の宅地内に向けて水道水を分岐給水するためのサドル付分水栓５１が設けられており、このサドル付分水栓５１を介して給水管５２は各宅地内に埋設された量水器ボックス５３内に継手部材５４を通して導入されている。
【０００７】
給水管５２は、継手部材５４を介して量水器ボックス５３内の１次側５５に設置された止水栓５６、及び止水栓５６と継手５７を介して水道メータ５８に連結され、宅地内の建物（図示せず）に給水管５９を介して給水されるものである。
尚、図１４において、前記量水器ボックス５３は耐側圧性の大きなリブ構造の側壁６０ａ、６０ｂ、６０ｃ、６０ｄを有し、底板６１と量水点検蓋６２を備えたボックス形状を形成している。そして、前記量水器ボックス５３に導入される給水管５２の矢印６３は１次側５５の給水管５２内における流水方向を示し、矢印６４は建物側への給水管５９の流水方向を示している。
【０００８】
また、６５は給水管５２と継手部材５４を接続するための袋ナット、６６は継手部材５４と止水栓５６を接続するための継手用袋ナット、６７は止水栓５６と継手５７を接続する継手用袋ナット、６８は継手５７と前記水道メータ５８を接続するための継手用袋ナット、６９は水道メータ５８と建物側の給水管５９を接続する継手連結用袋ナットである。
【０００９】
次に従来型のパッキン構造の設置位置、並びに従来型のパッキン構造の欠点を図１５（Ａ）、（Ｂ）、（Ｃ）において説明する。図１５（Ａ）は図１４の量水器ボックス５３部分の拡大要部断面図を示しており、図１５（Ｂ）は図１５（Ａ）に示す継手部材５４、従来型パッキン７０、止水栓５６を分解した形状を示す組立図、図１５（Ｃ）は従来型パッキン７０の形状を示す斜視図を示している。尚、図１５において、新しく図示される構成要素は夫々新たな符号を付記して説明されるが、図１４と同一符号は、同一構成要素を示している。
【００１０】
図１５（Ａ）において、給水管５２は袋ナット６５、継手部材５４を介して継手用袋ナット６６にて量水器ボックス５３内に設置された水道メータ５８の１次側５５に設置された止水栓５６に接続されており、該止水栓５６は、継手５７を介して水道メータ５８に連結されて宅地内の建物に給水管５９を介して給水されている。
【００１１】
図１５（Ｂ）は、図１５（Ａ）の継手部材５４と止水栓５６間を分解した形状を示す拡大組立図であり、６５は１次側５５の給水管５２（図示せず）と継手部材５４を接続する袋ナットを示している。また、前記継手部材５４の先端部７１には、継手部材５４と止水栓５６を接続するための継手用袋ナット６６が設けられており、該継手用袋ナット６６と止水栓５６の接続部７２の接合部端面７３に配置される従来型パッキン７０を図示している。
【００１２】
また、図１５（Ｂ）に示される従来型のパッキン７０は、図１５（Ｃ）に示される如く天然ゴムや合成ゴム、または、合成樹脂の板材をリング形状に形成し、その両側面部は継手部材５４の先端部７１に接合する接合部７４ａと前記止水栓５６の接合部７２の接合部端面７３に接合する接合部７４ｂを有している。
【００１３】
斯くして、上記従来型のパッキン７０は、配水管５０から分岐給水し水道メータ５８の１次側５５に設置している止水栓５６を交換する際に使用されているものであり、この止水栓５６の１次側５５には、止水栓５６を交換する際に給水管５２の水流を停止するための別の止水栓が設けられていないことから、給水管５２の水流７５を停止することができないので、量水器ボックス５３内に水を吹き出しながら止水栓５６の交換作業を行っていた。
【００１４】
従って、新しい止水栓５６の交換作業等において、従来型のパッキン７０を継手部材５４の継手用袋ナット６６と止水栓５６の接続部７２の接合部端面７３間に配置し、前記継手用袋ナット６６にて継手部材５４を止水栓５６に接続、固定する作業は、水流７５の勢いにより従来型のパッキン７０が流されたり、従来型のパッキン７０の配置部位が水流７５の勢いにて定まらず、非常に困難な作業となり、熟練と手間を要する厄介な交換作業を強いられるものであった。
【００１５】
本発明は、上記従来型のパッキンを改良することにより、新しい止水栓の交換作業等において用いられるパッキンを止水栓の接続部の接合部端面間に確実に配置し、前記継手用袋ナットにてパッキンの装着及び継手部材の接続、固定する作業の手間を大幅に改善するものであり、本発明の脱落防止機能付きパッキンは、止水栓の接続部の接合部端面の内径部に装着して固定することにより、不断水による水流の吹き出しがあってもパッキンが外れることがないよう構成して、止水栓の交換作業等を熟練の作業者に頼ることなく時間を短縮して行えるようにした。
【先行技術文献】
【非特許文献】
【００１６】
先行技術文献は開示せず、段落番号０００５乃至段落番号００１４にて従来例を説明している。
【発明の概要】
【発明が解決しようとする課題】
【００１７】
斯くして、本発明は、配水管から分岐給水される給水管を水道メータ１次側に設置した止水栓に接続するため継手部材と止水栓の接続部材間に配置されるパッキンに関するものであり、特に本発明は、止水栓の接続部の接合端面に設けられる脱落防止機能付きのパッキンに関するものである。
【００１８】
また、本発明は、新しい止水栓の交換作業等において、従来型のパッキンを継手部材の継手用袋ナットと止水栓の接続部の接合部端面間に配置し、前記継手用袋ナットにて継手部材の接合及び固定する作業は、水流の勢いによりパッキンが流されたり、パッキンの配置部位が水流の勢いにて定まらず、非常に困難な作業となり熟練と手間を要する厄介な交換作業を強いられるものであったことに鑑みなされたものである。
【００１９】
そして、本発明は、新しい止水栓の交換作業等において用いられるパッキンの形状を改良することにより、継手部材の継手用袋ナットと止水栓の接続部の接合部端面の内径部に確実に配置して装着することが可能となり、不断水による水流の吹き出しがある状況下においても、水流でパッキンが外れることがないように構成して、止水栓等の交換作業効率を大幅に改善するものであり、前記止水栓の交換作業は、熟練の作業者に頼ることなく時間を短縮して行えるようにした止水栓の接続部に用いられる脱落防止機能付きパッキンを提供するものである。
【課題を解決するための手段】
【００２０】
本発明は、配水管から分岐給水される給水管を量水器ボックス内の水道メータ１次側に設置した止水栓に接続するための継手部材と止水栓間において、該止水栓の交換時に前記継手部材と止水栓の接続部材間に配置されるパッキン部材は継手部材の先端部に設けられた継手用ナットと止水栓接続部の接合部端面に装着挟持され前記継手部材と止水栓間の水密を維持できるリング形状のパッキン部材であり、該パッキン部材には該パッキン部材と一体的に形成された嵌合部を形成し、該嵌合部は前記パッキン部材のパッキン接合部面片側に突出した中空形状の嵌合筒部を構成し、該パッキン部材の中空形状の嵌合筒部を前記止水栓接続部の接合部端面の内径部に固着可能に構成した止水栓の接続部に用いられる脱落防止機能付きパッキンを提供する。
【００２１】
また、本発明において、前記リング形状のパッキン部材は、その断面形状が内径側に開口するコの字形状を有した嵌合部材取付溝を有し、該嵌合部材取付溝にその断面形状がＬ字形を有する中空形状の嵌合筒部の鍔部を嵌着することにより前記パッキン部材と中空形状の嵌合筒部を一体的に構成した。
【００２２】
更に、本発明は、前記パッキン部材と中空形状の嵌合筒部を一体的に構成し、該嵌合筒部に１箇所、または複数個の割り溝を設けることにより前記中空形状の嵌合筒部の先端部に弾性を付加するように構成した止水栓の接続部に用いられる脱落防止機能付きパッキンを提供するものである。
【００２３】
本発明における実施例において、前記リング形状のパッキン部材には、そのパッキン部材と一体的に構成された嵌合部が形成され、該嵌合部は前記パッキン部材のパッキン接合部面片側に突起した中空形状の嵌合筒部を構成し、該パッキン部材の中空形状の嵌合筒部はその先端円周部に２箇所または複数個の返し突起部を設けることにより、該２箇所または複数個の返し突起部が前記止水栓接続部の接合部端面の内径部に固着可能に構成した止水栓の接続部に用いられる脱落防止機能付きパッキンを提供するものである。
【００２４】
また、本発明において、前記リング形状のパッキン部材には、そのパッキン部材と一体的に構成された嵌合部が形成され、該嵌合部は前記パッキン部材のパッキン接合部面片側に突起した中空形状の嵌合筒部を構成し、該嵌合筒部の外径を先端部から付根部近傍に向かって大きくなるテーパー形状に構成することにより、前記止水栓接続部の接合部端面の内径部にテーパー付中空形状の嵌合筒部を固着可能に構成した止水栓の接続部に用いられる脱落防止機能付きパッキンを提供するものである。
【００２５】
更に、本発明において、前記リング形状のパッキン部材には、該パッキン部材と一体的に構成された嵌合部が形成され、該嵌合部は前記パッキン部材のパッキン接合部面片側に突起した中空形状の嵌合筒部を構成し、前記嵌合筒部の外径を先端部から付根部近傍に向かって大きくなるテーパー形状に構成し、該テーパー形状の嵌合筒部の付根部外周上に逃げ溝を刻設することにより、該嵌合筒部の先端部に弾性を付加するように構成して前記止水栓接続部の接合部端面の内径部にテーパー形状の嵌合筒部を固着可能に構成した止水栓の接続部に用いられる脱落防止機能付きパッキンを提供するものである。
【００２６】
更にまた、本発明において、前記リング形状のパッキン部材と中空形状の嵌合筒部は、合成ゴムや合成樹脂により一体的に成型されるか、または前記パッキン部材は合成ゴム及び合成樹脂により成型され、該パッキン部材の嵌合部材取付溝に装着される嵌合筒部は金属材料等前記パッキン部材とは異なる材料にて別々に形成されている止水栓の接続部に用いられる脱落防止機能付きパッキンを提供する。
【発明の効果】
【００２７】
斯くして、本発明は、新しい止水栓の交換作業等において用いられるパッキンの形状を改良することにより、継手部材の継手用袋ナットと止水栓の接続部の接合部端面の内径部に確実に配置して装着することが可能となり、不断水による水流の吹き出しがある状況下においても、水流でパッキンが外れることがないように構成して、止水栓等の交換作業効率を大幅に改善するものであり、前記止水栓の交換作業は、熟練の作業者に頼ることなく時間を短縮して行えるようにした止水栓の接続部に用いられる脱落防止機能付きパッキンを提供するものである。
【００２８】
上記、給水管、給水管と接続する継手部材、継手部材の継手用袋ナットと止水栓の接続部の接合部端面の内径部等、水道施設資材にあっては、夫々細かく規格化がなされていることに鑑み、本発明は、止水栓の接続部の接合部端面の内径部の形状、内径寸法等の規格を変更することなく使用できる脱落防止機能付きパッキンを提供するものであり、水道設備作業の効率化を大幅に向上することができる。
【図面の簡単な説明】
【００２９】
【図１】（Ａ）実施例１を説明する正面図である。       （Ｂ）実施例１を説明する側面図である。       （Ｃ）実施例１を説明する断面図である。
【図２】（Ａ）実施例１の他例を説明する正面図である。       （Ｂ）実施例１の他例を説明する側面図である。       （Ｃ）実施例１の他例を説明する断面図である。
【図３】（Ａ）実施例１を説明する組立図である。       （Ｂ）パッキンを嵌合した状態を示す説明図である。
【図４】（Ａ）実施例２を説明する正面図である。       （Ｂ）実施例２を説明する側面図である。       （Ｃ）実施例２を説明する断面図である。
【図５】（Ａ）実施例２の他例を説明する正面図である。       （Ｂ）実施例２の他例を説明する側面図である。       （Ｃ）実施例２の他例を説明する断面図である。
【図６】（Ａ）実施例２を説明する組立図である。       （Ｂ）パッキンを嵌合した状態を示す説明図である。
【図７】（Ａ）実施例３を説明する正面図である。       （Ｂ）実施例３を説明する側面図である。       （Ｃ）実施例３を説明する断面図である。
【図８】（Ａ）実施例３の他例を説明する正面図である。       （Ｂ）実施例３の他例を説明する側面図である。       （Ｃ）実施例３の他例を説明する断面図である。
【図９】（Ａ）実施例３を説明する組立図である。       （Ｂ）パッキンを嵌合した状態を示す説明図である。
【図１０】（Ａ）実施例４を説明する正面図である。         （Ｂ）実施例４を説明する側面図である。         （Ｃ）実施例４を説明する断面図である。
【図１１】（Ａ）実施例４を説明する組立図である。         （Ｂ）パッキンを嵌合した状態を示す説明図である。
【図１２】（Ａ）実施例４の他例を説明する正面図である。         （Ｂ）実施例４他例を説明する側面図である。         （Ｃ）実施例４の他例を説明する断面図である。
【図１３】実施例４の他例パッキンを嵌合した状態を示す説明図である。
【図１４】従来例及び本発明の給水管概要図である。
【図１５】（Ａ）従来の止水栓配置部位説明図である。       （Ｂ）従来のパッキン配置部位を示す組立図である。       （Ｃ）従来のパッキン形状を示す斜視図である。
【発明を実施するための形態】
【００３０】
斯くして、本発明に係る止水栓の接続部に用いられる脱落防止機能付きパッキンは、配水管から分岐給水される給水管を量水器ボックス内の止水栓に接続するために設けられるもので、給水管と止水栓を接続する継手部材の先端部において、該継手部材と止水栓の接続部間に配置されるパッキンに関するものであり、特に本発明のパッキン構造は、止水栓の接続部の接合端面の内径部に設けられる嵌合可能な脱落防止機能付きのパッキンに関するものである。
【００３１】
また、本発明は、新しい止水栓の交換作業等において、従来型のパッキンを継手部材の継手用袋ナットと止水栓の接続部の接合部端面間に配置し、前記継手用袋ナットにて継手部材の接合及び固定する作業は、水流の勢いによりパッキンが流されたり、パッキンの配置部位が水流の勢いにて定まらず、非常に困難な作業となり熟練と手間を要する厄介な交換作業を強いられるものであったことに鑑みなされたものである。
【００３２】
更に、本発明は、新しい止水栓の交換作業等において用いられるパッキンの形状を改良することにより、継手部材の継手用袋ナットと止水栓の接続部の接合部端面の内径部に確実に配置して装着することが可能となり、不断水による水流の吹き出しがある状況下においても、水流でパッキンが外れることがないように構成して、止水栓等の交換作業効率を大幅に改善するものであり、前記止水栓の交換作業は、熟練の作業者に頼ることなく時間を短縮して行えるようにした止水栓の接続部に用いられる脱落防止機能付きパッキンを提供するものである。
【実施例１】
【００３３】
図１は、本発明の実施例１を説明する脱落防止機能付きパッキン部材の形状説明図であり、図１（Ａ）、（Ｂ）、（Ｃ）において、１はリング形状のパッキン部材、２ａ、２ｂはパッキン接合部面、３はパッキン部材１と一体的に形成された嵌合部であり、該嵌合部３はパッキン接合部面２ａ側に突出した中空形状の嵌合筒部４を構成しており、この中空形状の嵌合筒部４は、筒部５とその付根部に設けられた鍔部６、及び返し部７ａ、７ｂ、７ｃ、７ｄと割り溝８ａ、８ｂ、８ｃ、８ｄを有している。
【００３４】
そして、前記鍔部６は、リング形状のパッキン部材１に設けられその断面形状が内径側に開口するコの字形状を有した嵌合部材取付溝９に嵌着することにより、パッキン部材１と中空形状の嵌合筒部４、筒部５を連繋して一体的に構成しており、また、前記中空形状の嵌合筒部４、筒部５は、その先端部に４個の返し部７ａ、７ｂ、７ｃ、７ｄを設けており、該返し部７ａ、７ｂ、７ｃ、７ｄは、中空形状の嵌合筒部４の先端部外部に突出した形状で設けられ、その先端方向に向かって開口する割り溝８ａ、８ｂ、８ｃ、８ｄにより中空形状の嵌合筒部４、筒部５は弾性を付加され止水栓接続部の接合部端面１７の内径部１９（図３に図示）に容易に嵌着可能に構成されている。
【００３５】
また、図２（Ａ）、（Ｂ）、（Ｃ）は、実施例１の他例を説明する脱落防止機能付きパッキンの形状説明図であり、図２（Ａ）、（Ｂ）、（Ｃ）において、１はリング形状のパッキン部材、２ａ、２ｂはパッキン接合部面、３はパッキン部材１と一体形成された嵌合部であり、該嵌合部３はパッキン接合部面２ａ側に突出した中空形状の嵌合筒部４を構成しており、また、この中空形状の嵌合筒部４は、筒部５を介してその先端部に４個の返し部７ａ、７ｂ，７ｃ、７ｄと割り溝８ａ、８ｂ、８ｃ、８ｄを設けており、該返し部７ａ、７ｂ，７ｃ、７ｄは、前記パッキン部材１と中空形状の筒部５を介して一つの部材として構成されている。
【００３６】
図１に示す実施例１と図２に示す他例の違いは、実施例１がリング形状のパッキン部材１を合成ゴムや合成樹脂により成型し、該パッキン部材１の嵌合部材取付溝９に装着される中空形状の嵌合筒部４と筒体５は金属材料等前記パッキン部材１とは異なる材料にて別々に形成された後に組立されている物に対して、図２の他例はリング形状のパッキン部材１と中空形状の嵌合筒部４、筒体５、返し部７ａ、７ｂ，７ｃ、７ｄを合成ゴムや合成樹脂により初めから一体的に成型されている点にある。
【００３７】
図３（Ａ）は、配水管から分岐給水される給水管を量水器ボックス内の水道メータ１次側に設置した止水栓に接続するために継手部材１０と止水栓１１間を分解して、実施例１のパッキン部材１、または実施例１と外観形状を同じくする他例のパッキン部材１を配置したものであり、図３（Ｂ）は、止水栓１１側に実施例１のパッキン部材１を装着した状態を示している。
【００３８】
図３（Ａ）、（Ｂ）において、１２は前記継手部材１０の先端部に設けられたパッキン部材１の接合面、１３は締め付けることにより前記止水栓１１と継手部材１０を接続可能な継手用袋ナット、１４は継手用袋ナット１３内径部に刻設された雌ネジ、また、前記止水栓１１の１次側接続部１５に対向する止水栓１１の外径部には継手用袋ナット１３の雌ネジ１４に螺合する雄ネジ１６が刻設されている。そして、止水栓１１の１次側接続部１５側には止水栓接続部の接合部端面１７が設けられ、該止水栓接続部の接合部端面１７の中心部には流水口１８が開口されており、該流水口１８の縁部後方には流水用の内径部１９が構成されている。
【００３９】
図３（Ａ）示す如く継手用袋ナット１３と止水栓１１間の止水栓接続部の接合部端面１７に対向して配置されたパッキン部材１は、継手部材１０側からの不断水による水流の吹き出しがある状況下において図３（Ｂ）に示すごとく、止水栓接続部の接合部端面１７に接合され、パッキン部材１と一体的に形成されたパッキン部材１の嵌合筒部４が流水口１８と内径部１９に固着される。
【００４０】
従って、図３（Ｂ）の状況下において、継手部材１０側からの不断水による水流の吹き出しは継続されているが、パッキン部材１は、止水栓接続部の接合部端面１７に接合されており、流水の吹き出しによりパッキン部材１が流されたり、パッキン部材１の配置部位が水流の勢いにて定まらないことがなく、止水栓１１等の交換作業効率を大幅に改善するものであり、前記止水栓１１の交換作業は、熟練の作業者に頼ることなく時間を短縮して行えるようにした止水栓１１の接続部に用いられる脱落防止機能付きパッキンを提供するものである。
【００４１】
斯くして、実施例１、及び実施例１の他例は、図１（Ａ）、（Ｂ）、（Ｃ）、図２（Ａ）、（Ｂ）、（Ｃ）に示す如く、配水管から分岐給水される給水管を量水器ボックス内の水道メータ１次側に設置した止水栓１１に接続するための継手部材１０と止水栓１１間において、該止水栓１１の交換時に前記継手部材１０と止水栓１１の接続部材間に配置されるパッキン部材１は継手部材１０の先端部に設けられた継手用ナット１３と止水栓１１の止水栓接続部の接合部端面１７に装着挟持され、前記継手部材１０と止水栓１１間の水密を維持できるリング形状のパッキン部材１であり、該パッキン部材１には該パッキン部材１と一体的に形成された嵌合部３を形成し、該嵌合部３は前記パッキン部材１のパッキン接合部面２ａ片側に突出した中空形状の嵌合筒部４を構成し、該パッキン部材１の中空形状の嵌合筒部４を前記止水栓接合部の接合部端面１７の内径部１９に固着可能に構成した止水栓の接続部に用いられる脱落防止機能付きパッキンを提供するものである。
【００４２】
また、実施例１において、前記リング形状のパッキン部材１はその断面形状が内径側に開口するコの字形状を有した嵌合部材取付溝９を有し、該嵌合部材取付溝９にその断面形状がＬ字形を有する中空形状の嵌合筒部４の鍔部６を嵌着することにより、前記パッキン部材１と中空形状の嵌合筒部４を一体的に構成し、該中空形状の嵌合筒部４に１箇所または複数個の割り溝８ａ、８ｂ、８ｃ・・・を設けることにより該中空形状の嵌合筒部４の先端部に弾性を付加すると共に、該中空形状の嵌合筒部４の先端部には２箇所または複数個の返し部７ａ、７ｂ，７ｃ・・・を設けて、該２箇所または複数個の返し部７ａ、７ｂ，７ｃ・・・が前記止水栓接合部の接合部端面１７の内径部１９に固着可能に構成した止水栓の接続部に用いられる脱落防止機能付きパッキンを提供するものである。
【００４３】
更に、実施例１、及び実施例１の他例において、前記リング形状のパッキン部材１と中空形状の嵌合筒部４は、合成ゴムや合成樹脂により一体的に成型されるか、または前記リング形状のパッキン部材１は合成ゴム及び合成樹脂により成型され、該パッキン部材１の嵌合部材取付溝９に装着される中空形状の嵌合筒部４は金属材料等前記パッキン部材とは異なる材料にて別々に形成されている脱落防止機能付きパッキンを提供するものである。
【実施例２】
【００４４】
図４は、本発明の実施例２を説明する脱落防止機能付きパッキン部材の形状説明図であり、図４（Ａ）、（Ｂ）、（Ｃ）において、１はリング形状のパッキン部材、２ａ、２ｂはパッキン接合部面、３はパッキン部材１と一体的に形成された嵌合部であり、該嵌合部３はパッキン部材の接合部面２ａ側に突出した中空形状の嵌合筒部４を構成している。また、この中空形状の嵌合筒部４には、その嵌合筒部４の先端円周部に返し突起部２０ａ、２０ｂを設けることにより、複数個の返し突起部２０ａ、２０ｂが前記止水栓接続部の接合部端面１７の内径部１８に確実に固着可能に構成した。
【００４５】
また、図５（Ａ）、（Ｂ）、（Ｃ）は実施例２の他例を説明するものであり、１はリング形状のパッキン部材、２ａ、２ｂはパッキン接合部面、３はパッキン部材１と一体形成された嵌合部であり、該嵌合部３はパッキン部材の接合部面２ａ側に突出した中空形状の嵌合筒部４を構成しており、この中空形状の嵌合筒部４には、その嵌合筒部４の先端円周部に返し突起部２０ａ、２０ｂを設けることにより、該返し突起部２０ａ、２０ｂが前記止水栓接続部の接合部端面１７の内径部１９に確実に固着可能に構成した。
【００４６】
図４に示す実施例２と図５に示す他例の違いは、実施例２がリング形状のパッキン部材１を合成ゴムや合成樹脂により成型し、該パッキン部材１の嵌合部材取付溝９に装着される中空形状の嵌合筒部４と返し突起部２０ａ、２０ｂは金属材料等前記パッキン部材１とは異なる材料にて別々に形成された後に組立されている物に対して、図５の他例はリング形状のパッキン部材１と中空形状の嵌合筒部４、返し突起部２０ａ、２０ｂを合成ゴムや合成樹脂により初めから一体的に成型されている点にある。
【００４７】
図６（Ａ）は、配水管から分岐給水される給水管を量水器ボックス内の水道メータ１次側に設置した止水栓に接続するために継手部材１０と止水栓１１間を分解して、実施例２のパッキン部材１、または実施例２と外観形状を同じくする他例のパッキン部材１を配置したものであり、図６（Ｂ）は、止水栓１１側に実施例２のパッキン部材１を装着した状態を示している。
【００４８】
図６（Ａ）、（Ｂ）において、１２は前記継手部材１０の先端部に設けられたパッキン部材１の接合面、１３は締め付けることにより前記止水栓１１と継手部材１０を接続可能な継手用袋ナット、１４は継手用袋ナット１３内径部に刻設された雌ネジ、また、前記止水栓１１の１次側接続部１４に対向する止水栓１１の外径部には継手用袋ナット１３の雌ネジ１４に螺合する雄ネジ１６が刻設されている。そして、止水栓１１の１次側接続部１５側には止水栓接続部の接合部端面１７が設けられ、該止水栓接続部の接合部端面１７の中心部には流水口１８が開口されており、該流水口１８の縁部後方には流水用の内径部１９が構成されている。
【００４９】
図６（Ａ）示す如く継手用袋ナット１３と止水栓１１間において止水栓接続部の接合部端面１７に対向して配置されたパッキン部材１は、継手部材１０側からの不断水による水流の吹き出しがある状況下において図６（Ｂ）に示すごとく、止水栓接続部の接合部端面１７に返し突起部２０ａ、２０ｂにて嵌合され、パッキン部材１と一体的に形成されたパッキン部材１の嵌合筒部４が流水口１８と内径部１９に確実に固着される。
【００５０】
従って、図６（Ｂ）の状況下において、継手部材１０側からの不断水による水流の吹き出しは継続されているが、パッキン部材１は、止水栓接続部の接合部端面１７に接合されており、流水の吹き出しによりパッキン部材１が流されたり、パッキン部材１の配置部位が水流の勢いにて定まらないことがなく、止水栓１１等の交換作業効率を大幅に改善するものであり、前記止水栓１１の交換作業は、熟練の作業者に頼ることなく時間を短縮して行えるようにした止水栓１１の接続部に用いられる脱落防止機能付きパッキンを提供するものである。
【００５１】
また、実施例２、及び実施例２の他例は、リング形状のパッキン部材１と該パッキン部材１と一体的に構成された嵌合部３が形成され、該嵌合部３は前記パッキン部材１のパッキン接合部面２ａ片側に突起した中空形状の嵌合筒部４を構成し、該パッキン部材１の中空形状の嵌合筒部４はその先端円周部に２箇所または複数個の返し突起部２０ａ、２０ｂ、２０ｃ・・・を設けることにより、該２箇所または複数個の返し突起部２０ａ、２０ｂ、２０ｃ・・・が前記止水栓接続部の接合部端面１７の内径部１９に確実に固着可能に構成した止水栓の接続部に用いられる脱落防止機能付きパッキンである。
【実施例３】
【００５２】
図７は、本発明の実施例３を説明する脱落防止機能付きパッキンの形状説明図である。図７（Ａ）、（Ｂ）、（Ｃ）において、１はリング形状のパッキン部材、２ａ、２ｂはパッキン接合部面、３はパッキン部材１と一体的に形成された嵌合部であり、該嵌合部３はパッキン接合部面２ａ側に突出した中空形状の嵌合筒部４を構成しており、この中空形状の嵌合筒部４は、その付根部に設けられた鍔部６、及び流水口１８に向かって先端部口径が窄まり嵌合筒部の外径が先端部から付根部近傍に向って大きくなる形状を有した嵌合用テーパー２１と割り溝８ａを有している。
【００５３】
そして、前記鍔部６は、リング形状のパッキン部材１に設けられ、その断面形状が内径側に開口するコの字形状を有した嵌合部材取付溝９に嵌着することにより、パッキン部材１と中空形状の嵌合筒部４を連繋して一体的に構成されており、また、前記中空形状の嵌合筒部４は、その先端部に外周部に嵌合用テーパー２１と割り溝８ａを設けており、該嵌合用テーパー２１は、中空形状の嵌合筒部４の端方向に向かって開口する割り溝８ａにより中空形状の嵌合筒部４に弾性を付加され止水栓接続部の接合部端面１７の内径部１９（図９に図示）に容易に且つ確実に嵌着可能に構成されている。
【００５４】
図８（Ａ）、（Ｂ）、（Ｃ）は実施例３の他例を説明するもので、１はリング形状のパッキン部材、２ａ、２ｂはパッキン接合部面、３はパッキン部材１と一体形成された嵌合部であり、該嵌合部３はパッキン部材の接合部面２ａ側に突出した中空形状の嵌合筒部４を構成しており、この中空形状の嵌合筒部４は、その先端部に嵌合用テーパー２１と割り溝８ａを設けており、前記パッキン部材１と中空形状の嵌合筒部４は一つの部材として構成されている。
【００５５】
図７に示す実施例３と図８に示す他例の違いは、実施例３がリング形状のパッキン部材１を合成ゴムや合成樹脂により成型し、該パッキン部材１の嵌合部材取付溝９に装着される中空形状の嵌合筒部４と筒体５は金属材料等前記パッキン部材１とは異なる材料にて別々に形成された後に組立されている物に対して、図８の他例は、リング形状のパッキン部材１と中空形状の嵌合筒部４を合成ゴムや合成樹脂により初めから一体的に成型されている点にある。
【００５６】
図９（Ａ）は、配水管から分岐給水される給水管を量水器ボックス内の水道メータ１次側に設置した止水栓に接続するために継手部材１０と止水栓１１間を分解して、実施例３のパッキン部材１、または実施例３と外観形状を同じくする他例のパッキン部材１を配置したものであり、図９（Ｂ）は、止水栓１１側に実施例３のパッキン部材１を装着した状態を示している。
【００５７】
図９（Ａ）、（Ｂ）において、１２は前記継手部材１０の先端部に設けられたパッキン部材１の接合面、１３は締め付けることにより前記止水栓１１と継手部材１０を接続可能な継手用袋ナット、１４は継手用袋ナット１３内径部に刻設された雌ネジ、また、前記止水栓１１の１次側接続部１４に対向する止水栓１１の外径部には継手用袋ナット１３の雌ネジ１４に螺合する雄ネジ１６が刻設されている。そして、止水栓１１の１次側接続部１５側には止水栓接続部の接合部端面１７が設けられ、該止水栓接続部の接合部端面１７の中心部には流水口１８が開口されており、該流水口１８の縁部後方には流水用の内径部１９が構成されている。
【００５８】
図９（Ａ）示す如く継手用袋ナット１３と止水栓１１間の接合部端面１７に対向して配置されたパッキン部材１は、継手部材１０側からの不断水による水流の吹き出しがある状況下において図９（Ｂ）に示すごとく、止水栓接続部の接合部端面１７に嵌合筒部４の嵌合用テーパー２１にて嵌着され、パッキン部材１と一体的に形成されたパッキン部材１の嵌合筒部４が流水口１８と内径部１９に確実にそして迅速に固着可能である。
【００５９】
従って、図９（Ｂ）の状況下において、継手部材１０側からの不断水による水流の吹き出しは継続されているが、パッキン部材１は、止水栓接続部の接合部端面１７に接合されており、流水の吹き出しによりパッキン部材１が流されたり、パッキン部材１の配置部位が水流の勢いにて定まらないことがなく、止水栓１１等の交換作業効率を大幅に改善するものであり、前記止水栓１１の交換作業は、熟練の作業者に頼ることなく時間を短縮して行えるようにした止水栓の接続部に用いられる脱落防止機能付きパッキンを提供するものである。
【００６０】
また、実施例３、及び実施例３の他例において、パッキン部材１と中空形状の嵌合筒部４を一体的に構成し、該テーパー付中空形状の嵌合筒部４に１箇所または複数個の割り溝８ａ、８ｂ、８ｃ・・・を設けることにより、該中空形状の嵌合筒部４の先端部に弾性を付加して前記止水栓接続部の接合部端面１７の内径部１９にテーパー付中空形状の嵌合筒部４を簡単且つ確実に固着可能に構成した止水栓の接続部に用いられる脱落防止機能付きパッキンを提供するものである。
【実施例４】
【００６１】
図１０は、本発明の実施例４を説明する脱落防止機能付きパッキンの形状説明図である。図１０（Ａ）、（Ｂ）、（Ｃ）において、１はリング形状のパッキン部材、２ａ、２ｂはパッキン接合部面、３はパッキン部材１と一体的に形成された嵌合部であり、該嵌合部３はパッキン接合部面２ａ側に突出した中空形状の嵌合筒部４を構成しており、この中空形状の嵌合筒部４は、その付根部２２に設けられた鍔部６、及び嵌合筒部の外径が先端部から付根部近傍に向って大きくなる形状を有した嵌合用テーパー２１を有している。
【００６２】
そして、前記鍔部６は、リング形状のパッキン部材１に設けられ、その断面形状が内径側に開口するコの字形状を有した嵌合部材取付溝９に嵌着することにより、パッキン部材１と中空形状の嵌合筒部４を連繋して一体的に構成されており、また、この中空形状の嵌合筒部４には、その付根部２２の外周上に逃げ溝２３が刻設されており、該逃げ溝２３は中空形状の嵌合筒部４の先端部に弾性を付加して前記止水栓接合部の接合部端面１７の内径部１９に嵌合筒部４を装着する際に、逃げ溝２３を起点に内側へすぼみ、容易に内径部１９に固着可能にしている。そして逃げ溝２３は中空形状の嵌合筒部４の付根部２２に刻設することにより前記パッキン接合部面２ａが図１１に示す止水栓接続部の接合部端面１７に平面的に密着することができ、パッキン部材１の水密性が向上する。尚、２１は中空形状の嵌合筒部４の先端外周部に設けられた嵌合用テーパーで、該嵌合用テーパーは流水口１８に向かって先端部口径が窄まる形状を有している。
【００６３】
図１１（Ａ）は、配水管から分岐給水される給水管を量水器ボックス内の水道メータ１次側に設置した止水栓１１に接続するために継手部材１０と止水栓１１間を分解して、実施例４のパッキン部材１を配置したものであり、図１１（Ｂ）は、止水栓１１側に実施例４の逃げ溝２３付のパッキン部材１を装着した状態を示している。
【００６４】
図１１（Ａ）、（Ｂ）において、１２は前記継手部材１０の先端部に設けられたパッキン部材１の接合面、１３は締め付けることにより前記止水栓１１と継手部材１０を接続可能な継手用袋ナット、１４は継手用袋ナット１３内径部に刻設された雌ネジ、また、前記止水栓１１の１次側接続部１５に対向して設けられた止水栓１１の外径部には継手用袋ナット１３の雌ネジ１４に螺合する雄ネジ１６が刻設されている。そして、止水栓１１の１次側接続部１５側には止水栓接続部の接合部端面１７が設けられ、該止水栓接続部の接合部端面１７の中心部には流水口１８が開口されており、該流水口１８の縁部後方には流水用の内径部１９が構成されている。
【００６５】
そして、図１１（Ａ）示す如く継手用袋ナット１３と止水栓１１間において止水栓接続部の接合部端面１７に対向して配置されたパッキン部材１は、継手部材１０側からの不断水による水流の吹き出しがある状況下において図１１（Ｂ）に示すごとく、止水栓接続部の接合部端面１７に接合され、パッキン部材１と一体的に形成されたパッキン部材１の嵌合筒部４が流水口１８と内径部１９に固着される。
【００６６】
従って、図１１（Ｂ）の状況下において、継手部材１０側からの不断水による水流の吹き出しは継続されているが、パッキン部材１には中空形状の嵌合筒部４の付根部２２の外周上に逃げ溝２３が刻設されており、止水栓接続部の接合部端面１７に平面的に密着接合されて水密性を向上させていると共に、流水の吹き出しによりパッキン部材１が流されたり、パッキン部材１の配置部位が水流の勢いにて定まらないことがなく、止水栓１１等の交換作業効率を大幅に改善するものであり、前記止水栓１１の交換作業は、熟練の作業者に頼ることなく時間を短縮して行えるようにした止水栓１１の接続部に用いられる脱落防止機能付きパッキンを提供するものである。
【００６７】
斯くして、実施例４は、図１０（Ａ）、（Ｂ）、（Ｃ）に示す如く、配水管から分岐給水される給水管を量水器ボックス内の水道メータ１次側に設置した止水栓１１に接続するための継手部材１０と止水栓１１間において、該止水栓１１の交換時に前記継手部材１０と止水栓１１の１次側接続部１５間に配置されるパッキン部材１の構成は、パッキン部材１と一体的に形成された嵌合部３が形成され、該嵌合部３は前記パッキン部材１のパッキン接合部面２ａ片側に突起した嵌合用テーパー２１を有した嵌合筒部４を構成し、該パッキン部材１と中空形状の嵌合筒部４の付根部２２の外周面上に逃げ溝２３を刻設することにより、該中空形状の嵌合筒部４の先端部に弾性を付加し、前記止水栓接続部の接合部端面１７の内径部１９に中空形状の嵌合筒部４を容易に固着可能に構成した水密性の高いパッキン部材１を提供するものである。
【００６８】
また、図１２（Ａ）、（Ｂ）、（Ｃ）は本発明の実施例４の他例を説明する脱落防止機能付きパッキンの形状説明図であり、図１２（Ａ）、（Ｂ）、（Ｃ）において、１はリング形状のパッキン部材、２ａ、２ｂはパッキン接合部面、３はパッキン部材１と一体的に形成された嵌合部であり、該嵌合部３はパッキン接合部面２ａ側に突出した中空形状の嵌合筒部４を構成しており、この中空形状の嵌合筒部４は、その付根部２２の外周上に逃げ溝２３が刻設されており、該逃げ溝２３は中空形状の嵌合筒部４の先端部に弾性を付加して前記止水栓接合部の接合部端面１７の内径部１９に嵌合筒部４を装着する際に、逃げ溝２３を起点に内側へすぼみ、容易に内径部１９に固着可能に構成している。そして逃げ溝２３は中空形状の嵌合筒部４の付根部２２に刻設することにより前記パッキン接合部面２ａが図１１に示す止水栓接続部の接合部端面１７に平面的に密着することができ、パッキン部材１の水密性が向上する。尚、２１は中空形状の嵌合筒部４の先端外周部に設けられた嵌合用テーパーである。
【００６９】
図１３は、止水栓１１側に実施例４の他例を説明する逃げ溝２３付のパッキン部材１を装着した状態を示している。図１３において、１２は前記継手部材１０の先端部に設けられたパッキン部材１の接合面、１３は締め付けることにより前記止水栓１１と継手部材１０を接続可能な継手用袋ナット、１４は継手用袋ナット１３内径部に刻設された雌ネジ、また、前記止水栓１１の１次側接続部１５に対向して設けられた止水栓１１の外径部には継手用袋ナット１３の雌ネジ１４に螺合する雄ネジ１６が刻設されている。そして、止水栓１１の１次側接続部１５側には止水栓接続部の接合部端面１７が設けられ、該止水栓接続部の接合部端面１７の中心部には流水口１８が開口されており、該流水口１８の縁部後方には流水用の内径部１９が構成されている。
【００７０】
そして、図１３示す継手用袋ナット１３と止水栓１１間において止水栓接続部の接合部端面１７に対向して配置されたパッキン部材１は、継手部材１０側からの不断水による水流の吹き出しがある状況下において図１３に示すごとく、止水栓接続部の接合部端面１７に接合され、パッキン部材１と一体的に形成されたパッキン部材１の嵌合筒部４が流水口１８と内径部１９に固着される。
【００７１】
実施例４、及び実施例４の他例において、リング形状のパッキン部材１は、該パッキン部材１と一体的に構成された嵌合部３が形成され、該嵌合部３は前記パッキン部材１のパッキン接合部面２ａ片側に突起したテーパー付中空形状の嵌合筒部４を構成し、該パッキン部材１と中空形状の嵌合筒部４の付根部２２の外周上に逃げ溝２３を刻設することにより、該中空形状の嵌合筒部４の先端部に弾性を付加して前記止水栓接合部の接合部端面１７の内径部１９にテーパー付中空形状の嵌合筒部４を固着可能に構成した止水栓の接続部に用いられる脱落防止機能付きパッキンを提供するものである。
【００７２】
斯くして、本発明は、配水管から分岐給水される給水管を量水器ボックス内の水道メータ１次側に設置した止水栓に接続するための継手部材１０と止水栓１１間において、該止水栓１１の交換時に前記継手部材１０と止水栓１１の接続部材間に配置されるパッキン部材１は継手部材１０の先端部に設けられた継手用ナット１３と止水栓接続部の接合部端面１７に装着挟持され前記継手部材１０と止水栓１１間の水密を維持できるリング形状のパッキン部材１であり、該パッキン部材１には該パッキン部材１と一体的に形成された嵌合部３を形成し、該嵌合部３は前記パッキン部材１のパッキン接合部面２ａ片側に突出した中空形状の嵌合筒部４を構成し、該パッキン部材１の中空形状の嵌合筒部４を前記止水栓１１における止水栓接続部の接合部端面１７の内径部１９に固着可能に構成したことを特徴とする止水栓の接続部に用いられる脱落防止機能付きパッキンを提供するものである。
【００７３】
また、本発明において、前記リング形状のパッキン部材１は、その断面形状が内径側に開口するコの字形状を有した嵌合部材取付溝９を有し、該嵌合部材取付溝９にその断面形状がＬ字形を有する中空形状の嵌合筒部４の鍔部６を嵌着することにより前記パッキン部材１と中空形状の嵌合筒部４を一体的に構成した止水栓の接続部に用いられる脱落防止機能付きパッキンである。
【００７４】
更に、本発明は、前記パッキン部材１と中空形状の嵌合筒部４を一体的に構成し、該嵌合筒部４に１箇所または複数個の割り溝８ａ、８ｂ、８ｃ・・・を設けることにより該中空形状の嵌合筒部４の先端部に弾性を付加するように構成した止水栓の接続部に用いられる脱落防止機能付きパッキンである。
【００７５】
そして、本発明において、前記リング形状のパッキン部材１には、そのパッキン部材１と一体的に構成された嵌合部３が形成され、該嵌合部３は前記パッキン部材１のパッキン接合部面２ａ片側に突起した中空形状の嵌合筒部４を構成し、該パッキン部材１の中空形状の嵌合筒部４はその先端円周部に２箇所または複数個の返し突起部２０ａ、２０ｂ、２０ｃ・・・を設けることにより、該２箇所または複数個の返し突起部２０ａ、２０ｂ、２０ｃ・・・が前記止水栓接続部の接合部端面１７の内径部１９に固着可能に構成した止水栓の接続部に用いられる脱落防止機能付きパッキンを提供するものである。
【００７６】
また、本発明において、前記リング形状のパッキン部材１には、そのパッキン部材１と一体的に構成された嵌合部３が形成され、該嵌合部３は前記パッキン部材１のパッキン接合部面２ａ片側に突起した中空形状の嵌合筒部４を構成し、該嵌合筒部４の外径を先端部から付根部近傍に向かって大きくなるテーパー形状に構成することにより、前記止水栓１１における止水栓接続部の接合部端面１７の内径部１９にテーパー付中空形状の嵌合筒部４を固着可能に構成した止水栓の接続部に用いられる脱落防止機能付きパッキンを提供するものである。
【００７７】
更に、本発明において、前記リング形状のパッキン部材１には、該パッキン部材１と一体的に構成された嵌合部３が形成され、該嵌合部３は前記パッキン部材１のパッキン接合部面２ａ片側に突起した中空形状の嵌合筒部４を構成し、前記嵌合筒部４の外径を先端部から付根部２２の近傍に向かって大きくなるテーパー形状に構成し、該テーパー形状付の嵌合筒部４の付根部２２外周上に逃げ溝２３を刻設することにより、該嵌合筒部４の先端部に弾性を付加するように構成して、前記止水栓接続部の接合部端面１７の内径部１９にテーパー形状の嵌合筒部４を固着可能に構成した止水栓の接続部に用いられる脱落防止機能付きパッキンを提供するものである。
【００７８】
更にまた、本発明において、前記リング形状のパッキン部材１と中空形状の嵌合筒部４は、合成ゴムや合成樹脂により一体的に成型されるか、または前記パッキン部材１は合成ゴム及び合成樹脂により成型され、該パッキン部材１の嵌合部材取付溝９に装着される中空形状の嵌合筒部４は金属材料等前記パッキン部材１とは異なる材料にて別々に形成されている止水栓の接続部に用いられる脱落防止機能付きパッキンを提供するものである。
【００７９】
そして、本発明の実施例１乃至実施例４は、新しい止水栓の交換作業等において用いられるパッキンの形状を上述の如く改良することにより、継手部材の継手用袋ナットと止水栓の接続部の接合部端面の内径部に確実に配置して装着することが可能となり、不断水による水流の吹き出しがある状況下においても、水流でパッキンが外れることがないように構成して、止水栓等の交換作業効率を大幅に改善するものであり、前記止水栓の交換作業は、熟練の作業者に頼ることなく時間を短縮して行えるようにした止水栓の接続部に用いられる脱落防止機能付きパッキンを提供するものである。
【００８０】
また、給水管、給水管と接続する継手部材、継手部材の継手用袋ナットと止水栓の接続部の接合部端面の内径部寸法等、水道施設資材において、夫々細かく規格化がなされていることに鑑み、本発明は、止水栓の接続部の接合部端面の内径部の形状、内径部寸法等の規格を変更して異なる部材を使用するのではなく、従来の部材を使用して利用できる脱落防止機能付きパッキンを提供するものであり、水道設備作業の効率化を大幅に向上することができる。
【符号の説明】
【００８１】
１  パッキン部材
２ａ、２ｂ  パッキン接合部面  
３  嵌合部
４  中空形状の嵌合筒部
５  筒部
６  鍔部
７ａ、７ｂ、７ｃ、７ｄ  返し部
８ａ、８ｂ、８ｃ、８ｄ  割り溝
９  嵌合部材取付溝
１０  継手部材
１１  止水栓
１２  接合面
１３  継手用袋ナット
１４  雌ネジ
１５  １次側接続部
１６  雄ネジ
１７  止水栓接続部の接合部端面
１８  流水口
１９  内径部
２０ａ、２０ｂ、２０ｃ・・・  返し突起部
２１  嵌合用テーパー
２２  付根部
２３  逃げ溝
【図１】
2015161376.tif 000003
【図２】
2015161376.tif 000004
【図３】
2015161376.tif 000005
【図４】
2015161376.tif 000006
【図５】
2015161376.tif 000007
【図６】
2015161376.tif 000008
【図７】
2015161376.tif 000009
【図８】
2015161376.tif 000010
【図９】
2015161376.tif 000011
【図１０】
2015161376.tif 000012
【図１１】
2015161376.tif 000013
【図１２】
2015161376.tif 000014
【図１３】
2015161376.tif 000015
【図１４】
2015161376.tif 000016
【図１５】
2015161376.tif 000017